(57)【特許請求の範囲】
【請求項１】
浴室内に設置して、浴室の洗い場と浴槽間で入浴者が座った座席を上下移動および旋回移動をして入浴を補助するリフトであって、座席が上限設定位置でのみ旋回可能であると共に、座席の旋回角度の広狭変更および旋回の左右限界点の変更が行なえる入浴補助リフトにおいて、座席を上下移動させる駆動部内の左右両側に断面コ形状の回り止めガイドを開口部を向き合わせて立設し、アームを介して座席を接続し上下動および旋回するメインパイプに一つまたは二つのガイドピンを有するガイドリングを取り付け、前記メインパイプが上限設定位置でない時は前記ガイドピンの一つが左右どちらかの回り止めガイド内にあり、前記メインパイプが上限設定位置にある時は前記ガイドピンが回り止めガイドに入出できる切欠部を、回り止めガイドの一方の側壁に形成したことを特徴とする入浴補助リフト。
【請求項２】
ガイドピンが、ガイドリングに対して取付け方向を変更可能であることを特徴とする請求項１記載の入浴補助リフト。
【請求項３】
一つのガイドピンを有するガイドリングを二つメインパイプに取付け、前記メインパイプに対してそれぞれのガイドリングが取付け方向を変更可能であることを特徴とする請求項１記載の入浴補助リフト。
【請求項４】
ガイドピンの取付け方向が異なる複数のガイドリングから現場の状況に合わせて選択したガイドリングをメインパイプに取付けることを特徴とする請求項１記載の入浴補助リフト。
【発明の詳細な説明】
【０００１】
【発明の属する技術分野】
本発明は、浴室の洗い場と浴槽間で入浴者が座った座席を旋回移動および上下移動をして入浴を補助するリフトの構造に関するものである。
【０００２】
【従来の技術】
現在、浴室内に設置する入浴補助リフトが多くある。通常は入浴補助リフトを洗い場の浴槽近くで壁面を背にしてに設置し、座席が接続されたアームは壁面の反対側で洗い場と浴槽間を１８０度旋回させる。しかし、既存の浴室の状況は様々であり、浴室の大きさによってはアームを１８０度旋回できない場合もある。
【０００３】
【発明が解決しようとする課題】
本発明は、浴室の状況に合わせてアームの旋回角度が変更できる入浴補助リフトを提供することを目的とする。
【０００４】
【課題を解決するための手段】
前記課題を解決するため、請求項１の発明は、座席が上限設定位置でのみ旋回可能であると共に、座席の旋回角度の広狭変更および旋回の左右限界点の変更が行なえる入浴補助リフトにおいて、座席を上下移動させる駆動部内の左右両側に断面コ形状の回り止めガイドを開口部を向き合わせて立設し、アームを介して座席を接続し上下動および旋回するメインパイプに一つまたは二つのガイドピンを有するガイドリングを取り付け、前記メインパイプが上限設定位置でない時は前記ガイドピンの一つが左右どちらかの回り止めガイド内にあり、前記メインパイプが上限設定位置にある時は前記ガイドピンが回り止めガイドに入出できる切欠部を、回り止めガイドの一方の側壁に形成した。
それにより座席が上限設定位置より低い時に座席を旋回して浴槽の縁に入浴者がぶつかることが防止できると共に、浴室の大きさに合わせて旋回角度を変更できる。
【０００６】
請求項２の発明は、座席の旋回角度の広狭変更および旋回の左右限界点の変更を可能とするため、ガイドピンが、ガイドリングに対して取付け方向を変更可能である構造とした。
【０００７】
請求項３の発明は、座席の旋回角度の広狭変更および旋回の左右限界点の変更を可能とする請求項２の他の構造として、一つのガイドピンを有するガイドリングを二つメインパイプに取付け、メインパイプに対してそれぞれのガイドリングが取付け方向を変更可能である構造とした。
【０００８】
請求項４の発明は、また請求項２および３の他の構造として、ガイドピンの取付け方向が異なる複数のガイドリングから現場の状況に合わせて選択したガイドリングをメインパイプに取付ける構造とした。
【０００９】
【発明の実施の形態】
本発明の実施の形態を図面を参照して説明する。
図１は、洗い場Ｂと浴槽Ｃ間で入浴者が座った座席を旋回移動および上下移動する入浴補助リフトＡを浴室内に設置し、その入浴補助リフトＡの上端部を連結具で十文字に連結した支持梁Ｄで壁面に固定した状態を示す斜視図である。入浴補助リフトＡは、駆動部１でメインパイプ２を上下動させ、またメインパイプ２の上端に水平方向に接続されたアーム３の先端下方部には入浴者が座る座席４が取付けられている。
【００１０】
図２は、浴室内に取付けた状態の入浴補助リフトＡの正面図である。▲１▼はアーム３およびアーム３に取付けた座席４が浴槽Ｃ側で下限設定位置にある状態である。▲２▼は座席４が浴槽Ｃ側で上限設定位置にある状態であり、▲３▼は座席４が洗い場Ｂ側で上限設定位置にある状態であり、▲４▼は座席４が洗い場Ｂ側で下限設定位置にある状態である。
【００１１】
座席４が上限設定位置にある▲２▼および▲３▼の状態では、アーム３は水平方向に旋回可能であるが、それ以外の状態では座席４あるいは座席に座っている入浴者が浴槽Ｃの縁にぶつかるのを防止するためアーム３は旋回できない構造になっている。
【００１２】
図３は、浴室内に取付けた状態の入浴補助リフトＡの平面図である。アーム３は左限界点▲２▼から右限界点▲３▼の間で１８０度旋回するように設定してあるが、左限界点を▲２▼ａ、▲２▼ｂ、▲２▼ｃに、あるいは右限界点を▲３▼ａ、▲３▼ｂ、▲３▼ｃと入浴補助リフトを設置する浴室の大きさによって設定変更をすることができる。なお座席４は旋回中のどの位置にあっても正面方向を向くように回転軸にリンクさせている。
【００１３】
図４は、入浴補助リフトＡの駆動部１の縦断面図である。メインパイプ２の下端部にナット７を固定し、そのナット７を介してメインパイプ２の中にボールネジ６を通し、駆動部１の下方部にあるモーター５で前記ボールネジ６を回転させることにより、メインパイプ２を上下動する。
【００１４】
メインパイプ２の上端にはアーム３が水平方向に接続されている。駆動部１はその全体をカバーケース１５で覆い、メインパイプ２の後方にある２本の補助パイプ１６でアーム３およびメインパイプ２を支持している。
【００１５】
図５は、駆動部１内において、上限設定位置近くに上昇したメインパイプ２の下端部の状態を示した斜視図である。メインパイプ２の下方部にはガイドリング取付スリーブ１１を介してガイドリング１３ａ、１３ｂを上下に２個取り付け、そのガイドリング１３にはガイドピン１２ａ、１２ｂがそれぞれ取付けられている。
【００１６】
メインパイプ２の左右両側には断面コ形状の回り止めガイド１４がその開口部１４ａを互いに向き合わせて立設され、その回り止めガイド１４の開口部１４ａに前記ガイドピン１２ａが入っているため上限設定位置以外ではメインパイプ２の水平方向の旋回は規制されている。メインパイプ２が上限設定位置においては回り止めガイド１４の側壁１４ｃのガイドピン１２ａおよび１２ｂの位置に切欠部１４ｂを形成しているため、正面側への旋回が可能となる。
【００１７】
図６は、請求項３記載のガイドリング１３ｃおよびガイドピン１２ｃを示した横断面図である。２分割したガイドリング１３ｃは、ガイドリング取付スリーブ１１を介してメインパイプに取付けてあり、水平方向一列に一定角度毎に形成された複数のガイドピン取付孔１３ｍに２つのガイドピン１２ｃが取付けられている。このガイドピン１２ｃはいずれのガイドピン取付孔１３ｍにも取付け変更が可能である。
【００１８】
図７は、請求項４記載のガイドリング１３ａ、１３ｂを示した横断面図である。ガイドリング１３ａ、１３ｂはガイドピン１２ａ、１２ｂがそれぞれ固定され、ガイドリング取付スリーブ１１との間に回転止めのキー１１ａを設けて取付けられている。さらにガイドリング１３ａ、１３ｂは内壁に一定角度毎の複数のキー溝１３ｎを形成しているのでガイドリング取付スリーブ１１に対してそれぞれの取付け方向を変更できる。
【００１９】
あるいは固定したガイドピンの位置が一定角度毎にずれたガイドリングを複数用意しておき、ガイドピンの位置が適当なガイドリングを選んで取り替えるようにしても良い。
【００２０】
【発明の効果】
回り止めガイドを設けることにより座席が上限設定位置でなければ、旋回できない構造であるため、座席が浴槽の縁に当たって傷付くことや座席に座った入浴者が浴槽の縁に当たって怪我をするようなことを防止できる。
【００２１】
浴槽の大きさに合わせて、アームの旋回角度を広狭に変更できるので、浴槽および洗い場での座席の位置が容易に調整できる。横幅の広い浴室であればアームを１８０度旋回するように設定すれば良く、また横幅が狭い浴室であるなら旋回角度を狭くして座席が浴室壁面に近づき過ぎないように設定できる。
また入浴補助リフトを設置する位置が浴室左右両壁のどちらかに片寄った場合は、例えば洗い場の方だけ旋回角を小さくするということも容易にできる。
【図面の簡単な説明】
【図１】本発明の入浴補助リフトを設置した状態を示す斜視図
【図２】浴室内に取付けた状態の入浴補助リフトの正面図
【図３】浴室内に取付けた状態の入浴補助リフトの平面図
【図４】入浴補助リフトの駆動部の縦断面図
【図５】メインパイプの下端部の状態を示した斜視図
【図６】請求項３記載のガイドリングおよびガイドピンを示した横断面図
【図７】請求項４記載のガイドリング  を示した横断面図
【符号の説明】
Ａ…入浴補助リフト
Ｂ…洗い場
Ｃ…浴槽
１…駆動部
２…メインパイプ
３…アーム
４…座席
５…モーター
６…ボールネジ
１２…ガイドピン
１３…ガイドリング
１４…回り止めガイド
【図１】
0003664245.tif 000002
【図２】
0003664245.tif 000003
【図３】
0003664245.tif 000004
【図４】
0003664245.tif 000005
【図５】
0003664245.tif 000006
【図６】
0003664245.tif 000007
【図７】
0003664245.tif 000008